【手続補正書】
【提出日】平成20年8月18日(2008.8.18)
【手続補正１】
【補正対象書類名】特許請求の範囲
【補正対象項目名】全文
【補正方法】変更
【補正の内容】
【特許請求の範囲】
【請求項１】
ジュークボックスであって、
出力に対する利用可能な媒体のインスタンスと、
複数の出力チャンネルとを含み、第１の出力チャンネルおよび第１の出力チャンネルとは異なる少なくとも第２の出力チャンネルが、媒体の異なったインスタンスを同時に出力することができ、前記ジュークボックスがさらに、
ユーザインターフェイスを含み、該ユーザインターフェイスは、ユーザが、媒体の特定のインスタンスの出力に対する複数の出力チャンネルの１つまたは複数を選択することを可能にする、ジュークボックス。
【請求項２】
回収機構をさらに含み、固定された金額の金銭が、媒体の所定の事前選択されたインスタンスを演奏するために回収される、請求項１に記載のジュークボックス。
【請求項３】
複数の出力チャンネルに動作可能に接続された複数の出力デバイスをさらに含む、請求項２に記載のジュークボックス。
【請求項４】
ユーザインターフェイスは、ユーザが、媒体の特定のインスタンスの出力に対する１つまたは複数の第１の出力チャンネル、および媒体の第１のインスタンスとは異なった媒体の少なくとも第２のインスタンスの出力に対する、１つまたは複数の第１の出力チャンネルとは異なった少なくとも１つまたは複数の第２の出力チャンネルを選択することをさらに可能にする、請求項２に記載のジュークボックス。
【請求項５】
回収機構は、もしユーザが、媒体のインスタンスの出力に対する２つ以上の出力チャンネルを選択すれば、固定された金額の金銭よりも多い幾分かの追加金額の金銭をさらに回収する、請求項４に記載のジュークボックス。
【請求項６】
複数の各出力チャンネルに対する媒体のインスタンスの複数の待ち行列を記憶するメモリをさらに含む、請求項４に記載のジュークボックス。
【請求項７】
複数の各待ち行列が、
非優先的待ち行列をさらに含み、複数の待ち行列に対応する出力チャンネルで演奏するために１人または複数のユーザにより選択された媒体のインスタンスのリストは、媒体のインスタンスが、１人または複数のユーザにより選択された時間順で整列され、複数の各待ち行列がさらに、
優先的待ち行列を含み、複数の待ち行列に対応する出力チャンネルで演奏するために１人または複数のユーザにより選択された媒体のインスタンスのリストが、優先化アルゴリズムに基づき優先化される、請求項６に記載のジュークボックス。
【請求項８】
優先化アルゴリズムが、媒体の特定のインスタンスの出力に対して、ユーザから回収機構により回収された金額に基づきリスト優先化順序を決定し、より大きな金額が回収機構により回収された媒体のインスタンスが、より小さな金額が回収機構により回収された媒体のインスタンスより高い、リストにおける優先権を与えられる、請求項７に記載のジュークボックス。
【請求項９】
ユーザインターフェイスが、複数の出力の１つに対応する優先的待ち行列における媒体の各インスタンスに対して、回収機構により回収された金額を示す、請求項７に記載のジュークボックス。
【請求項１０】
複数の出力チャンネルの２つ以上に対応する、複数の優先的待ち行列の２つ以上の優先化アルゴリズムが、複数の出力チャンネルの２つ以上での同時演奏を保証するために、複数の出力チャンネルの２つ以上の出力に対して選択された媒体の特定のインスタンスに、個々のリストにおける同じ優先位置を割当てる、請求項７に記載のジュークボックス。
【請求項１１】
回収機構が、同時演奏を保証するためにユーザから追加金額を回収する、請求項１０に記載のジュークボックス。
【請求項１２】
ユーザインターフェイスが、
施設の第１の場所（領域）に設けられた主ユーザインターフェイスと、
主ユーザインターフェイスとは異なり、かつ第１の場所とは異なる施設の第２の場所（領域）に設けられた１つまたは複数の追加の第２のユーザインターフェイスとをさらに含む、請求項１に記載のジュークボックス。
【請求項１３】
第２のユーザインターフェイスが、グラフィカルユーザインターフェイスを提供することとは異なる少なくとも第２の目的に対して動作可能な機械に設けられたグラフィカルユーザインターフェイスを含む、請求項１２に記載のジュークボックス。
【請求項１４】
複数の出力チャンネルの１つまたは複数の出力が、媒体の利用可能なインスタンスのサブセットの出力に限定され得る、請求項１に記載のジュークボックス。
【請求項１５】
出力デバイスの１つまたは複数の出力レベルが、特定の最大値および／または最小値に限定され得る、請求項３に記載のジュークボックス。
【請求項１６】
主ユーザインターフェイスおよび第２のユーザインターフェイスが、グラフィカルユーザインターフェイスをさらに含む、請求項１２に記載のジュークボックス。
【請求項１７】
グラフィカルユーザインターフェイスが、所定の事象の発生に基づき、異なったグラフィック、広告、または媒体のインスタンスの利用可能なリストの少なくとも１つを表示するように変更することができる、請求項１６に記載のジュークボックス。
【請求項１８】
所定の事象が、運営者に指定された日付、時刻、または曜日の少なくとも１つの発生を含む、請求項１７に記載のジュークボックス。
【請求項１９】
施設の１つまたは複数のユーザが選択可能な領域において、媒体のユーザが選択可能なインスタンスを出力する方法であって、
ユーザが、出力に対する媒体のインスタンスを選択することを可能にするユーザインターフェイスを、ジュークボックスに設けるステップと、
ユーザが、媒体の選択されたインスタンスの出力に対して施設の１つまたは複数の領域を選択することを可能にするステップと、
媒体の選択されたインスタンスおよび施設の選択された領域に対する価格を決定するステップと、
決定された価格に等しい金額をユーザから回収するステップと、
出力に対する媒体の選択されたインスタンスを、施設の１つまたは複数の選択された領域に割当てられた１つまたは複数の待ち行列に入れるステップとを含む、方法。
【請求項２０】
施設の１つまたは複数のユーザが選択可能な領域において、媒体のユーザが選択したインスタンスの出力を優先化する方法であって、
ユーザが、出力に対する媒体のインスタンスを選択することを可能にするユーザインターフェイスを、ジュークボックスに設けるステップと、
ユーザが、媒体の選択されたインスタンスの出力に対する優先化選択肢を選択することを可能にするステップと、
ユーザが、媒体の選択されたインスタンスの出力が優先化される、施設の１つまたは複数の領域を選択することを可能にするステップと、
施設の選択された領域における媒体の選択されたインスタンスの演奏および優先化に対する価格を決定するステップと、
決定された価格に等しい金額をユーザから回収するステップと、
媒体の選択されたインスタンスを、施設の１つまたは複数の選択された領域に割当てられた１つまたは複数の優先的待ち行列に位置させるステップとを含む、方法。
【請求項２１】
１つまたは複数の優先的待ち行列における位置が、ユーザから回収された金額に基づき、ユーザからのより大きな金額の回収が、より少ない金額が回収されていた媒体の選択されたインスタンスに割当てられた優先位置よりも高い優先位置をもたらす、請求項２０に記載の方法。
【請求項２２】
施設の複数の領域における媒体のユーザが選択したインスタンスの優先的および非優先的出力を提供する方法であって、単一のジュークボックスが、媒体の全てのインスタンスの出力に対して使用され、ジュークボックスが、媒体の複数の異なったインスタンスの同時出力が可能であり、
出力に対して選択された媒体のインスタンスの非優先的待ち行列をメモリに記憶するステップを含み、媒体のインスタンスが、媒体のインスタンスが出力に対して選択されていた順序に従って整列され、前記方法がさらに、
非優先的待ち行列に記憶された媒体のインスタンスの前の出力に対して選択された媒体のインスタンスの優先的待ち行列を、メモリに記憶するステップを含み、媒体のインスタンスが、優先化アルゴリズムに従って整列される、方法。
【請求項２３】
優先化アルゴリズムが、媒体の特定のインスタンスの出力に対して、ユーザから回収機構により回収された金額に基づき、待ち行列の優先順序を決定し、より大きな金額が回収機構により回収されていた媒体のインスタンスが、より小さな金額が回収機構により回収されていた媒体のインスタンスより高い、待ち行列における優先権が与えられる、請求項２２に記載の方法。
【請求項２４】
ジュークボックスであって、
大量記憶媒体を含み、該大量記憶媒体が、媒体のインスタンスの少なくとも所定のセットおよびジュークボックスの動作に対するソフトウェアを含むように事前に規定され、
ジュークボックスの動作に対するソフトウェアが、
媒体のインスタンスの所定のセットの第１のサブセットを選択するソフトウェアと、
選択された第１のサブセットに基本的ステータスを割当てるソフトウェアと、
第１のサブセットとは異なる媒体のインスタンスの所定のセットの第２のサブセットを選択するソフトウェアとを含み、第２のサブセットの選択が、第１のサブセットに対して選択されていない媒体の全ての所定のインスタンスの選択を含むことができ、
ジュークボックスの動作に対するソフトウェアがさらに、
基本的ステータスとは異なる高められたステータスを、選択されたサブセットに割当てるソフトウェアを含む、ジュークボックス。
【請求項２５】
ジュークボックスの動作に対するソフトウェアが、
基本的ステータスを有する媒体のインスタンスに、第１の固定された価格を割当てるソフトウェアと、
第１の固定された価格とは異なり、かつ第１の固定された価格より高い第２の固定された価格を、高められたステータスを有する媒体のインスタンスに割当てるソフトウェアとをさらに含む、請求項２４に記載のジュークボックス。
【請求項２６】
ジュークボックスの動作に対するソフトウェアが、
基本的ステータスまたは高められたステータスの１つを有さない楽曲の演奏を防止するソフトウェアをさらに含む、請求項２４に記載のジュークボックス。
【請求項２７】
ジュークボックスの動作に対するソフトウェアが、
基本的ステータスが割当てられるべき媒体の事前選択されたインスタンスの第１のサブセットの新しい選択、および高められたステータスが割当てられるべき、第１のサブセットとは異なる媒体の事前選択されたインスタンスの第２のサブセットの選択を可能にするソフトウェアをさらに含む、請求項２４に記載のジュークボックス。
【請求項２８】
記憶媒体が、ある量の空白空間をさらに含む、請求項２４に記載のジュークボックス。
【請求項２９】
ジュークボックスをモーフィングする方法であって、
ジュークボックスが、媒体のインスタンスのセット、およびグラフィカルユーザインターフェイスを含み、該グラフィカルユーザインターフェイスが、通常料金での出力に対してユーザにより選択可能な媒体のインスタンスの第１のリスト、通常料金より高い増大された料金での出力に対してユーザにより選択可能な、第１のリストとは異なった媒体のインスタンスの第２のリスト、１つまたは複数の広告、あるいは、媒体のインスタンスのリストもしくは１つまたは複数の広告とは異なった１つまたは複数のグラフィックの少なくとも１つを表示し、
ジュークボックスのモーフィングのきっかけとなる事象を規定するステップと、
ジュークボックスを動作させるステップと、
ジュークボックスのモーフィングのきっかけとなる事象が、発生するか、または発生したどうかを調べるために検査を行なうステップと、
もしジュークボックスのモーフィングのきっかけとなる事象が、発生するか、または発生したなら、表示された、通常料金での出力に対してユーザにより選択可能な媒体のインスタンスの第１のリスト、通常料金より高い増大された料金での出力に対してユーザにより選択可能な、第１のリストとは異なった媒体のインスタンスの第２のリスト、１つまたは複数の広告、あるいは、媒体のインスタンスのリストもしくは１つまたは複数の広告とは異なった１つまたは複数のグラフィックの少なくとも１つを、異なったグラフィックに変更するステップとを含む、方法。
【請求項３０】
異なったグラフィックへの変更が、特定の基準に適合するグラフィックへの変更をさらに含み、基準が、ジュークボックスのモーフィングのきっかけとなることを規定された事象に基づき設定される、請求項２９に記載の方法。
【請求項３１】
ユーザにより選択可能な媒体のインスタンスの第１のリスト、およびユーザにより選択可能な媒体のインスタンスの第２のリストの異なったグラフィックへの変更が、
ユーザにより選択可能な媒体のインスタンスの新しい第１のリストを表示するステップを含み、新しい第１のリストのコンテンツが、特定の基準に基づき決定され、基準が、ジュークボックスのモーフィングのきっかけとなるように規定された事象に基づき設定され、
前記異なったグラフィックへの変更がさらに、
新しい第１のリストとは異なったユーザにより選択可能な媒体のインスタンスの新しい第２のリストを表示するステップとを含み、新しい第２のリストのコンテンツが、特定の基準に基づき決定され、基準が、ジュークボックスのモーフィングのきっかけとなるように規定された事象に基づき設定され、新しい第２のリストが、新しい第１のリストに含まれていない媒体のインスタンスのセットから、媒体の全ての残っているインスタンスを含まないことがある、請求項３０に記載の方法。
【請求項３２】
ユーザインターフェイスは、ユーザが携帯用音楽端末を使用して媒体に対して検索することを可能にし、
ユーザについてのプロファイル情報を収集するためのデータ入力機構と、
入力されたプロファイル情報を、他のプロファイルおよびユーザへの推奨媒体と比較するための比較器と、
推奨楽曲のリストを出力するための表示装置と、
媒体のどのインスタンスが演奏されるべきかを指定するための選択器とを含む、請求項１に記載のジュークボックス。
【請求項３３】
データ入力機構が、キーボードを含む、請求項３２に記載の携帯用音楽端末。
【請求項３４】
データ入力機構が、クレジットカードを含む、請求項３２に記載の携帯用音楽端末。
【請求項３５】
データ入力機構が、事前プログラムされた媒体カードまたはワンドを含む、請求項３２に記載の携帯用音楽端末。
【請求項３６】
ユーザインターフェイスは、ユーザが、事前規定された地理的領域内でのジュークボックスの媒体選択嗜好に基づき編集された、人気のある媒体のリストから媒体に対して検索することを可能にする、請求項１に記載のジュークボックス。
【請求項３７】
所定の事象が、ジュークボックスの好ましいユーザの識別を含む、請求項１７に記載のジュークボックス。
【請求項３８】
きっかけとなる事象が、指定された日付、時刻、または曜日を含む、請求項２９に記載の方法。
【請求項３９】
きっかけとなる事象が、好ましいユーザの認識を含む、請求項２９に記載の方法。
【請求項４０】
媒体のインスタンスを選択するステップが、
ユーザに対するプロファイルを構築するために識別データを入力するステップと、
入力されたプロファイル情報を他のプロファイルと比較するステップと、
媒体の限られたリストをユーザに推奨するステップと、
媒体のどのインスタンスが演奏されるべきかを指定するステップとをさらに含む、請求項１９に記載の方法。
【請求項４１】
ユーザが、クレジットカードを走査することにより識別される、請求項４０に記載の方法。
【請求項４２】
ユーザが、ジュークボックスに接続された受信器により、事前プログラムされたカードまたはワンドを振ることにより識別される、請求項４０に記載の方法。
【請求項４３】
媒体のインスタンスを選択するステップは、事前規定された地理的領域内でのジュークボックスの媒体選択嗜好に基づき編集された人気のある媒体のリストからの媒体の選択をさらに含む、請求項１９に記載の方法。